(57)【要約】      （修正有）【課題】  大きな電流を安全かつ安定に流すことができ、しかも、差し込み方向を選ばない、スピーカケーブル用のプラグとソケットを提供すること。【解決手段】  複数の小幅溝１０３ａを備えたガイド１０３を形成したソケット本体１０２が、各小幅溝１０３ａから一部を露出させて前記ガイド内部に配置された第一のソケット側コンタクト１０４と、プラグ挿入孔１０６に配置された第二のソケット側コンタクト１０５とを備え、プラグ挿入孔１０６に差し込まれ、前記挿入孔の内部に配置されたガイドに嵌合する内部空間を備えた差込み部と芯線固定部３０５とケーブル挿入部を形成したプラグ本体３０１が、差込み部３０２に配置されて前記第一のソケット側コンタクトの各小幅溝から露出する部分に接触する第一のプラグ側コンタクト３０８と、差込み部３０２の外部に配置され、第二のソケット側コンタクト２０５に接触する第二のプラグ側コンタクト３１３とを備えたこと。【選択図】    図１０
2006228617.tif 000002
【特許請求の範囲】
【請求項１】
プラグが差込まれるソケットのプラグ挿入孔内の中央に配置されたガイドに嵌合する内部空間を形成した差込み部と該差込み部に連続した芯線の固定部と該固定部に連続したケーブル挿入部とを備えた電気絶縁材製のプラグ本体が、前記差込み部の内部空間内に配置されて前記ソケットのガイドに内装され当該ガイドの外面に形成した小幅溝から一部を露出させた第一のソケット側コンタクトに接触する第一のプラグ側コンタクトと、前記差込み部の外面に配置されて前記ソケットのプラグ挿入孔の内面に配置された第二のソケット側コンタクトに接触する第二のプラグ側コンタクトとを備えたことを特徴とするスピーカケーブル用プラグ。
【請求項２】
プラグの差込み部と第一のプラグ側コンタクトおよび第二のプラグ側コンタクトが、当該プラグを正面から見た上下および左右に関して対称に形成されている請求項１のプラグ。
【請求項３】
プラグ挿入孔と該挿入孔の内周壁との間に隙間を保持して当該挿入孔内の中央に配設され外面にプラグ挿入方向に沿った複数の小幅溝を形成したガイドとを備えた電気絶縁材製のソケット本体が、前記小幅溝から一部を露出させて前記ガイド内部に配置された第一のソケット側コンタクトと、前記プラグ挿入孔の内周面に配置された第二のソケット側コンタクトとを備えたことを特徴とするスピーカケーブル用プラグのソケット。
【請求項４】
ソケットにおけるプラグ挿入孔，ガイド，第一のソケット側コンタクトおよび第二のソケット側コンタクトが、当該ソケットを正面から見た上下および左右に関して対称に形成されている請求項３のソケット。
【請求項５】
ソケットが、プラグを差込んだときに変位する可動部材と、該可動部材によって開閉され、第一のソケット側コンタクト、或は、第二のソケット側コンタクト、若しくは、これら双方のコンタクトを開閉させる制御コンタクトとを備えている請求項３又は４のソケット。
【請求項６】
スピーカケーブルが接続されるプラグとそのプラグが差込まれるソケットとからなり、
プラグが、ソケットのプラグ挿入孔内の中央に配置されたガイドに嵌合する内部空間を形成した差込み部と該差込み部に連続した芯線の固定部と該固定部に連続したケーブル挿入部とを備えた電気絶縁材製のプラグ本体が、前記差込み部の内部空間内に配置されて前記ソケットのガイドに内装され当該ガイドの外面に形成した小幅溝から一部を露出させた第一のソケット側コンタクトに接触する第一のプラグ側コンタクトと、前記差込み部の外面に配置されて前記ソケットのプラグ挿入孔の内面に配置された第二のソケット側コンタクトに接触する第二のプラグ側コンタクトとを備え、
ソケットが、プラグ挿入孔と該挿入孔の内周壁との間に隙間を保持して当該挿入孔内の中央に配設され外面に挿入方向に沿った複数の小幅溝を形成したガイドとを備えた電気絶縁材製のソケット本体が、前記小幅溝から一部を露出させて前記ガイド内部に配置された第一のソケット側コンタクトと、前記プラグ挿入孔の内周面に配置された第二のソケット側コンタクトとを備えた
ことを特徴とするスピーカケーブル用コネクタ。
【請求項７】
プラグ挿入孔が正面から見て上下及び左右で対称な断面形状を有し、ガイドも上下及び左右で対称な断面形状を備えていると共に、当該挿入孔とガイドは中心を一致させてプラグ挿入孔に配置されており、第一のプラグ側コンタクトが前記挿入孔とガイドに対応する断面形状を付与されている請求項６のコネクタ。
【請求項８】
プラグ挿入孔が断面略四角形に形成されると共に、ガイドは前記挿入孔の内周壁との間に隙間を保って断面略四角形に形成されている請求項６又は７のコネクタ。
【請求項９】
第二のソケット側コンタクトがプラグ挿入孔の内壁面全体に形成され、第二のプラグ側コンタクトがプラグ挿入孔内のガイドの外壁面を覆う中空筒状に形成されている請求項６〜８のいずれかのコネクタ。
【請求項１０】
ソケットが、プラグを差込んだときに移動する可動部材と、この可動部材によって開閉され、第一のソケット側コンタクト、或は、第二のソケット側コンタクト、若しくは、これら双方のコンタクトを開閉させる一対の制御コンタクトとを備えている請求項６〜９のいずれかのコネクタ。
【発明の詳細な説明】
【技術分野】
【０００１】
本発明は、スピーカケーブル用のコネクタに係わり、更に詳しくは、オーディオ分野におけるマルチチャネルスピーカシステムのアンプとスピーカとの接続ケーブルに好適なスピーカケーブル用プラグとソケット、並びに、それらによるスピーカケーブル用コネクタに関する。
【背景技術】
【０００２】
近年、家庭においても、映画館のような迫力や臨場感を体験することができる、いわゆるホームシアターシステムが普及しつつある。リスナーは、大画面に映し出されるスクリーン映像に、その映像に対応したマルチチャネルサウンド、例えば５．１チャネルのサウンドシステムから発されるリアリティが高く、しかも迫力のある音響効果が加わって従来のＡＶシステムでは得られない映像と音響とを楽しむことができる。
【０００３】
このようなサウンドシステムにおけるスピーカケーブル用コネクタとして、本発明の発明者らは中空のプラグ本体にスピーカ端子を挟持する端子挟持用舌片とスピーカケーブルの撚り線を挟持するケーブル挟持用舌片とをもつ端子を挿入したものを先に提案している（例えば特許文献１を参照）。
【０００４】
上記のホームシアター用などのマルチチャンネルのサウンドシステムは、その音響効果や迫力、あるいは、臨場感を高めるなどのために、今後ますます高出力化されると考えられているが、アンプ側が高出力化されてスピーカ出力が高まると、瞬間的には２０〜３０Ａの電流がスピーカ用ケーブルに流れることがあると考えられ、そうであれば先に提案されているスピーカケーブル用コネクタの接続端子の構造では、耐久性などの点で懸念がある。
【０００５】
また、上記のように大電流が流れることのあるスピーカケーブル用プラグやソケット、並びに、それらによるスピーカケーブル用コネクタでは、例えば金属製ヘアピンなど、細棒状などの電気導体を間違ってソケットに差込んだりすると、端子の接触舌片と導体を通じて人体に電流が流れ、感電する恐れがあるのみならず、回路がショートして思わぬトラブルを招来しかねない。
【特許文献１】特開２００４ー７２７６１号公報
【発明の開示】
【発明が解決しようとする課題】
【０００６】
そこで、本発明は、簡単な構造で絶縁性能をきわめて高く形成することにより、大きな電流を安全かつ安定に流すことができ、しかも、差し込み方向を選ばない、スピーカケーブル用のプラグとソケット、並びに、これらによるスピーカケーブル用コネクタを提供することを課題とする。
【課題を解決するための手段】
【０００７】
上記課題を解決することを目的としてなされた本発明のスピーカケーブル用のコネクタの構成は、スピーカケーブルが接続されるプラグとそのプラグが差込まれるソケットとからなり、
プラグが、ソケットのプラグ挿入孔内の中央に配置されたガイドに嵌合する内部空間を形成した差込み部と該差込み部に連続した芯線の固定部と該固定部に連続したケーブル挿入部とを備えた電気絶縁材製のプラグ本体が、前記差込み部の内部空間内に配置されて前記ソケットのガイドに内装され当該ガイドの外面に形成した小幅溝から一部を露出させた第一のソケット側コンタクトに接触する第一のプラグ側コンタクトと、前記差込み部の外面に配置されて前記ソケットのプラグ挿入孔の内面に配置された第二のソケット側コンタクトに接触する第二のプラグ側コンタクトとを備え、
ソケットが、プラグ挿入孔と該挿入孔の内周壁との間に隙間を保持して当該挿入孔内の中央に配設され外面に挿入方向に沿った複数の小幅溝を形成したガイドとを備えた電気絶縁材製のソケット本体が、前記小幅溝から一部を露出させて前記ガイド内部に配置された第一のソケット側コンタクトと、前記プラグ挿入孔の内周面に配置された第二のソケット側コンタクトとを備えたことを特徴とするものである。
【０００８】
本発明スピーカケーブル用コネクタにおいては、プラグ挿入孔が上下及び左右でそれぞれ対称な断面形状を有し、ガイドが上下及び左右でそれぞれ対称な断面形状を備えていると共に、当該挿入孔とガイドが中心を一致させてプラグ挿入孔に配置され、第一のプラグ側コンタクトがプラグ挿入孔および各ガイドに対応する断面形状を付与されていることが望ましい。ここで、プラグ挿入孔は断面略四角形で、その中に配置されるガイドも断面略四角形に形成されていることがより都合がよい。
【０００９】
更に、本発明スピーカケーブル用コネクタでは、上記ソケットが、プラグを差し込んだときに移動する可動部材と、可動部材によって開閉される一対の制御コンタクトとを備えたものとすることができる。
【発明の効果】
【００１０】
本発明スピーカケーブル用コネクタは、スピーカケーブルが接続されるプラグとそのプラグが差込まれるソケットとからなり、
プラグが、ソケットのプラグ挿入孔内の中央に配置されたガイドに嵌合する内部空間を形成した差込み部と該差込み部に連続した芯線の固定部と該固定部に連続したケーブル挿入部とを備えた電気絶縁材製のプラグ本体が、前記差込み部の内部空間内に配置されて前記ソケットのガイドに内装され当該ガイドの外面に形成した小幅溝から一部を露出させた第一のソケット側コンタクトに接触する第一のプラグ側コンタクトと、前記差込み部の外面に配置されて前記ソケットのプラグ挿入孔の内面に配置された第二のソケット側コンタクトに接触する第二のプラグ側コンタクトとを備え、
ソケットが、プラグ挿入孔と該挿入孔の内周壁との間に隙間を保持して当該挿入孔内の中央に配設され外面に挿入方向に沿った複数の小幅溝を形成したガイドとを備えた電気絶縁材製のソケット本体が、前記小幅溝から一部を露出させて前記ガイド内部に配置された第一のソケット側コンタクトと、前記プラグ挿入孔の内周面に配置された第二のソケット側コンタクトとを備えて形成されているので、簡潔な構造で高い絶縁性能を実現でき、大きな電流を流すことが可能であり、また、プラグの差し込みに方向性がない。
【００１１】
すなわち、本発明スピーカケーブルコネクタにおけるソケットは、電気絶縁材からなり、プラグ挿入孔および該プラグ孔内に複数の小幅溝をもつガイドを備えるソケット本体と、各小幅溝から一部を露出させてガイド内部に配置された第一のソケット側コンタクトと、ガイドの外側に位置してプラグ挿入孔内部に配置された第二のソケット側コンタクトとから形成されているので、第一のソケット側コンタクトと第二のソケット側コンタクトとの間に縁記絶縁材からなるガイドが存在し、しかも、第一のソケット側コンタクトが小幅溝から一部を露出させてガイド内部に配置されることとなり、従って、ソケット内にテストフィンガーを差し込んでも、コネクタの導電部に接触することがない。
【００１２】
また、ソケットにおける第一のソケット側コンタクトは、その一部が複数の小幅溝から露出されてガイド内部に配置されている一方、プラグにおける第一のプラグ側コンタクトが、前記各小幅溝から露出する複数の第一のソケット側コンタクト部分に接触するので、接触線が多くなり、これによって接触面積も大きくなる。しかも、第一のソケット側コンタクトに接触するプラグ側の第二のプラグ側コンタクトは、当該プラグの差込み部の外面に配置され、大きな接触面積を確保しているので、上記複数の線接触と相俟って大電流を流すことが可能になる。
【００１３】
更に、本発明スピーカケーブル用コネクタにおいては、ソケットのプラグ挿入孔，ガイド，第一のソケット側コンタクトおよび第二のソケット側コンタクトが当該ソケットの中心線に関して上下、左右とも対称に形成されているので、このソケットに差込まれるプラグ側は、差込み部，第一のプラグ側コンタクトおよび第二のプラグ側コンタクトが上記の対称形に対応して形成されていれば足り、また、これによってソケットに対するプラグの差込みに上下，左右とも方向性がないので、ソケットにプラグを差込みさえすれば、スピーカの接続極性が逆相になることは全くない。
【００１４】
更にまた、本発明スピーカケーブル用コネクタでは、ソケットが、プラグを差込んだときに移動する可動部材と、その可動部材によって開閉され、第一のソケット側コンタクト、或は、第二のソケット側コンタクト、若しくは、これら双方を開閉させる制御コンタクトとを備えた構造にすると、プラグを差し込んだときのみに、第一のソケット側コンタクトが導通されるため、より安全なコネクタとすることができる。
【発明を実施するための最良の形態】
【００１５】
次に、図面を参照して、本発明のスピーカケーブル用コネクタと、それを構成するプラグとソケットについて実施の形態例について説明する。図示した本発明スピーカケーブル用コネクタの一例は、マルチチャンネルサウンドシステムにおける、スピーカとスピーカケーブル、及び、該スピーカケーブルとアンプのスピーカ出力端子部とを接続するためのものである。図１は、本発明スピーカケーブル用コネクタの実施の一例において、アンプに設けられたアンプ側ソケットとスピーカケーブルのアンプ側プラグとを示す斜視図、図２はスピーカ側ソケットとスピーカケーブルのスピーカ側プラグの斜視図、図３はアンプ側ソケットの拡大斜視図、図４は図３のＡ−Ａ線に沿うアンプ側ソケットの断面図、図５はアンプ側ソケットにおけるガイドとコンタクトとの関係を示す斜視図、図６は図５のアンプ側ソケットにおけるコンタクトの斜視図、図７はアンプ側（スピーカ側）プラグの拡大斜視図、図８は図７のプラグを反対側から見た斜視図、図９は図７のプラグのＢ−Ｂ線に沿う断面図、図１０はアンプ側（又はスピーカ側）ソケットにアンプ側（又はスピーカ側）プラグを嵌合した接続状態を示す平断面図、図１１は図１０のＨ−Ｈ線に沿うソケット側コンタクトとプラグ側コンタクトとの関係を示す垂直断面図、図１２はスピーカ側ソケットの一例を示す斜視図、図１３は図１２のＣ−Ｃ線に沿うスピーカ側ソケットの断面図、図１４は本発明スピーカケーブル用コネクタにおけるアンプ側ソケットの他の実施例を示す斜視図、図１５は図１４のＤ−Ｄ線に沿うアンプ側ソケットの断面図、図１６は図１４に示すアンプ側ソケットとアンプ側プラグとの接続状態を示す平断面図、図１７は本発明スピーカケーブル用コネクタの別の実施例によるアンプ側ソケットとアンプ側プラグとの接続状態を示す平断面図である。
【００１６】
本発明スピーカケーブル用コネクタは、一例として図１および図２に示すように、アンプ１０に固定される６チャンネル分のアンプ側ソケット１００と、スピーカエンクロージャー２０に固定される１チャンネル分のスピーカ側ソケット２００と、適宜の長さ，径を有する６本のスピーカケーブル３０の夫々の両端に接続されたアンプ側プラグ３００およびこのプラグ３００と同一構成のスピーカ側プラグ４００とを備えている。
【００１７】
アンプ１０は、例えば５．１チャネルのサウンドシステム用のスピーカ出力端子であるソケットを具備し、６チャンネル分の増幅回路を備えているので、アンプ側ソケット１００は、同一構成の６個のソケットが、アンプ１０のケース背面に並列して取り付けられていると共に、各チャンネルの増幅回路に電気接続されている。
【００１８】
６個のアンプ側ソケット１００は、図３に示すように、成型された一つの筐体１０１に収容され、かつ固定されている。各アンプ側ソケット１００は、図４に示すように、合成樹脂材を成型して後述するプラグ挿入孔１０６を形成したソケット本体１０２、該挿入孔１０６の中心に位置したガイド１０３、該ガイド１０３の内部に背面から圧入した第一のソケット側コンタクト１０４および第二のソケット側コンタクト１０５を備えている。ここで、ソケット本体１０２とガイド１０３は電気絶縁性の合成樹脂成型体により形成され、コンタクト１０４と１０５は金属導体から形成されている。
【００１９】
ソケット本体１０２は、直方体状に形成され、前面側に断面が略四角形をなすプラグ挿入孔１０６が設けられている。
【００２０】
前記挿入孔１０６の略中心に位置付けたガイド１０３は、略正方形の断面を有する、図の例では３本の角柱状ガイド部を有し、各ガイド部は、角柱状部の先端を除いた後方に各角柱状部の間に形成された小幅溝１０３ａを介して、垂直方向で３段（水平方向では３列）に配置されている。このガイド１０３は、プラグ挿入孔１０６の内周壁面との間に隙間を形成し、かつプラグ挿入口１０６の中心と中心を一致させて当該プラグ挿入孔１０６の内部に配置されている。なお、ガイド１０３はプラグ挿入孔１０６の底面（内奥面）からプラグ挿入孔１０６の開口側に向かって延びるようにソケット本体１０２と一体に形成されている。
【００２１】
第一のソケット側コンタクト１０４は、ガイド１０３の内部に圧入して組み込まれている。即ち、第一のソケット側コンタクト１０４は、図６に示すように、垂直方向でフラットな垂下舌片１０７の一端を水平方向で直角に曲げた向きで横向き舌片１０８を配置した平面から見て略Ｌ字状に形成されたものである。図５，図６において横向き立壁状の舌片１０８の先端には、略Ｅ状をなす二つの切り欠き１０９を形成され、各切り欠き１０９の底に位置する横向き舌片１０８の先端側は先細のテーパー面１０９ａに形成されている。
【００２２】
第一のソケット側コンタクト１０４は、図５に示すように、横向き舌片１０８をガイド１０３の内部に圧入して位置付けられることによりソケット本体１０２に装着され、かつ固定されている。即ち、先端にある切り欠き１０９をガイド１０３における３本の角柱状ガイド部の間にある小幅溝１０３ａに位置させて、ガイド内部に形成されたコンタクト１０４の圧入用空間に、ソケット本体１０２の背後から圧入により差込まれている。これにより、切り欠き１０９の一部は、ガイド１０３の間にある小幅溝１０３ａから露出して設けられることとなる。
【００２３】
第二のソケット側コンタクト１０５は、図４に示すように、プラグ挿入孔１０６の断面形状に対応する断面形状をもつ角筒状体１１０とこの角筒状体１１０の下壁から下方に延びる舌片１１１とから成る。そして、この角筒状体１１０はプラグ挿入口１０６の内周壁面に接触してプラグ挿入孔１０６に嵌め込まれている。また、第二のソケット側コンタクト１０５は、プラグ挿入孔１０６に沿った形状の押え環１１２がプラグ挿入孔１０６にその孔の前面側から嵌め込まれ、この第二のソケット側コンタクト１０５の抜け出しを阻止している。前記コンタクト１０５の角筒状体１１０の上壁は一部がプラグ挿入孔１０６の内部側へ向け略山形に折り曲げられバネ性のストッパ１１０ａを形成している。
【００２４】
一方、スピーカケーブルのアンプ側プラグ３００（本発明では、スピーカ側プラグ４００もこのプラグ３００と同一構造であるから、説明は省略する。）は、図７〜図９に示すように、平面形状が略十字状をなす中空のプラグ本体３０１を備えている。プラグ本体３０１における十字状部の一つの枝部３０２（図７、図９の左方、図８の右方）はソケット１００に対する差込み部、反対側にある枝部３０３はスピーカケーブル挿入部、これらに直交する枝部３０４，３０５はスピーカケーブルの芯線固定部として形成されている。以下、本明細書では、３０２はソケットへの差込み部、３０３はケーブルの挿入部、３０４，３０５は芯線の固定部という。
【００２５】
差込み部３０２は、ソケット１００のプラグ挿入孔１０６に対応する断面外形を有している。先端には、ソケット１００におけるガイド１０３の断面外形に対応する形状の開口３０６が形成され、開口３０６の内壁面には小幅溝１０３ａに対応するリブ３０７が設けられている。内部には第一のプラグ側コンタクト３０８が組み込まれている（図１１参照）。
【００２６】
第一のプラグ側コンタクト３０８は、図９、図１０および図１１に示すように、差込み部３０２の内部にガイド１０３の各角柱状ガイドに嵌る二本の角筒状体３０９を、両者の間に空間を保持して備えている。角筒状体３０９同士の対向する壁には、リブ３０７に連続して第一のソケット側コンタクト１０４の厚みに対応する幅をもつスリット３０９ａが形成されている。また、一方の角筒状体３０９の上壁にはフラットな舌片３１０が一体に形成されている。この舌片３１０はスピーカケーブル挿入部３０３の内部に向かって延びている。ケーブル挿入部３０３の前方寄りに位置したケーブル芯線の固定部３０５には、前後が開放された角筒状のケーブル押え３１１が収容されている。前記舌片３１０の自由端は芯線固定部３０５に内装されたケーブル押え３１１の内部に入り込んでいる。そして押えねじ３１２がケーブル押え３１１の上壁にねじ込まれている。
【００２７】
一方、第二のプラグ側コンタクト３１３は、図７に示されているように、プラグ本体３０１における差込み部３０２の外面に被さる断面外形をもつ外部角筒状体３１４を有している。この角筒状体３１４の両側壁には四角形の開口３１４ａが設けられている（図７、図８参照）。外部角筒状体３１４は差込み部３０２の外面に、その前方から嵌め込まれている。図１０に示すように、外部角筒状体３１４の後端から真っ直ぐに延びる舌片３１５は、プラグ本体３０１にあるスリットを通ってスピーカケーブル挿入部３０３の内部にある芯線固定部３０４に収容されたケーブル押え３１６の内部に延びている。芯線固定部３０４には、挿入される芯線を直交する向きで押えねじ３１７が芯線固定部３０４の外壁にねじ込まれている。なお、本発明における芯線の固定は、押えねじ３１２，３１７に限られるものではなく、例えばバネ力を芯線の固定手段として用いることもできる。
【００２８】
次に、スピーカケーブル３０は、図９に示すように、プラス側ケーブル３１とマイナス側ケーブル３３とがスピーカケーブル挿入部３０３にある開口を通って内部に差し込まれ、押えねじ３１２，３１７を締付けることによって、プラス側ケーブル３１の芯線３２は舌片３１０とケーブル押え３１１とによって挟持され、マイナス側ケーブル３３の芯線３４は舌片３１５とケーブル押え３１６とによって挟持される。なお、スピーカケーブル３０におけるスピーカ側プラグ４００は、アンプ側プラグ３００と同一構成である。なお、図９において、押えねじ３１２は締付けた状態、押えねじ３１７は締付け前の状態で示されている。
【００２９】
また、スピーカ側ソケット２００もアンプ側ソケット１００と同一構成である。即ち、図１２および図１３はスピーカ側ソケット２００の詳細を示している。スピーカ側ソケット２００は、ソケット本体２０２、ガイド２０３、第一のソケット側コンタクト２０４および第二のソケット側コンタクト２０５を有している。第一のソケット側コンタクト２０４は、先端を除いた一部を小幅溝２０３ａから露出させて３本の角柱状ガイド２０３の内部に圧入して組み込まれている。第二のソケット側コンタクト２０５は、プラグ挿入孔２０６の断面形状に対応する断面形状を有し、かつプラグ挿入口１０６に嵌め込まれた角筒状体２１０を備えている。このスピーカ側ソケット２００は、図２に例示するように、ソケット本体２０２をスピーカエンクロージャー２０の背面などに埋設する形で固定され、コンタクト２０４，２０５がスピーカに電気接続されている。
【００３０】
本発明スピーカケーブル用コネクタは、例えば図１０に示すように、アンプ側プラグ３００がアンプ側ソケット１００に差し込まれると、第一のプラグ側コンタクト３０８の内部の角筒状体３０９がアンプ側ソケット１００のガイド１０３に嵌ると同時に、図１１に示すように、角筒状体３０９のスリット３０９ａが拡開されながら第一のソケット側コンタクト１０４におけるガイド１０３の間の小幅溝１０３ａを通ってテーパー面１０９ａから切り欠き１０９を挟むように嵌り込み、第一のソケット側コンタクト１０４と第一のプラグ側コンタクト３０８が接触する。これと同時に、アンプ側プラグ３００の第二のプラグ側コンタクト３１３の外部の角筒状体３１４がアンプ側ソケット１００の第二のソケット側コンタクト１０５の角筒状体１１０に嵌り、開口３１４ａがストップ１１０ａに嵌り込み、アンプ側プラグ３００がアンプ側ソケット１００に軽くロックされる。
【００３１】
上記のようにしてアンプ側プラグ３００がアンプ側ソケット１００に差込まれると、第一のソケット側コンタクト１０４と第一のプラグ側コンタクト３０８とが２カ所で線接触し、第二のソケット側コンタクト１０５と第二のプラグ側コンタクト３１３とが面接触する。この線接触と面接触によって大きな接触面積を実現するから、大きな値の電流が流れても、焼損などのトラブルは全くといってよい程発生しない。
【００３２】
上記の差込みにおいて、アンプ側プラグ３００を上下逆の姿勢にしてアンプ側ソケット１００に差込んでも、アンプ側ソケット１００はその中心を通る水平線あるいは垂直線に関して対称に形成されていると共に、アンプ側プラグ３００もその中心を通る水平線あるいは垂直線に関して対称に形成されているため、いずれの差込み姿勢においてもコンタクト１０４，３０８およびコンタクト１０５，３１３同士が確実に接触する。
【００３３】
また、アンプ側プラグ３００がアンプ側ソケット１００に差込まれていないとき、万一、アンプ側ソケット１００にボールペンなどの金属導体を差込もうとしても、第一のソケット側コンタクト１０４は絶縁性をもつ合成樹脂製のガイド１０３の内部に収容され、かつ、当該コンタクト１０４が小幅溝１０３ａの部分のみからしか外部に露出していないため、前記金属導体が第一のソケット側コンタクト１０４に接触することはない。従って、金属導体の差込みがあっても電流が流れず、きわめて安全である。
【００３４】
上記の点は、スピーカ側ソケット２００にスピーカ側プラグ４００を差込んだ場合も、上記と同様に、接触面積が大きく、上下逆に差込んでも、確実に通電され、そしてスピーカ側ソケット２００に金属導体を差込もうとしても、挿入できない。
【００３５】
次に、本発明スピーカケーブル用コネクタでは、アンプ側ソケットにアンプ側プラグを差し込んだときのみに、通電する機能を具備させてもよい。図１４〜図１６はそのような機能を付加した本発明スピーカケーブルコネクタの一例を示している。
【００３６】
図１４〜図１６に示す本発明スピーカケーブル用コネクタは、例えば２チャネルステレオアンプに対するもので、二つのアンプ側ソケット５００を有している。各アンプ側ソケット５００は、図１および図３〜図６に示したアンプ側ソケット１００と同様に、ソケット本体５０２、小幅溝５０３ａをもつ角柱状のガイド５０３、一部を小幅溝５０３ａから露出させてガイド５０３の内部組み込まれた第一のソケット側コンタクト５０４、およびガイド５０３との間に空間を形成してソケット挿入孔５０６に配置された第二のソケット側コンタクト５０５を備えて形成されているので、プラグとソケットのコンタクト同士の接触面積が大きく、大きな値の電流が流れても、焼損などのトラブルを発生せず、金属製ボールペンなどの金属導体を差込んでも、その金属導体に電流が流れず、しかも、プラグを上下逆にして差込んでも、確実に通電されるという諸機能、作用効果も前記したソケット１００の場合と同じである。
【００３７】
ここで、図１４〜図１６のアンプ側ソケット５００は、通常、ソケット側コンタクト５０４，５０５がアンプの増幅回路から切り離されており、アンプ側プラグを差し込んだときにのみ、増幅回路に接続されるようになっていて、更に安全性を向上させている。
【００３８】
このため、各アンプ側ソケット５００の押え環５１２は、図１５に示すように、側壁の一部が延長され、かつ第二のソケット側コンタクト５０５の側壁に形成した開口から突出する、水平方向に動くアクチュエータ５２１として構成されている。
【００３９】
一対の制御コンタクト５２２，５２４が押え環５１２の側壁と平行に配置され、かつソケット本体５０２に支持されている。制御コンタクト５２２の上縁は水平方向に曲げられ舌片５２３が一体に形成されている。制御コンタクト５２４は、一部が切り欠かれ、前縁を中心に曲がる弾性舌片５２５を備えている。この弾性舌片５２５は舌片５２３に、アクチュエータ５２１は弾性舌片５２５に、それぞれ常時接触している。
【００４０】
このアンプ側ソケット５００は、アンプに取り付けられたとき、一例として、第一のソケット側コンタクト５０４および第二のソケット側コンタクト５０５がリレーを介在して増幅回路に接続されているとすると、制御コンタクト５２２，５２４は前記リレーの制御回路に接続される。リレーの制御回路は、制御コンタクト５２２と制御コンタクト５２４とが接触していると、リレー接点を開放し、第一のソケット側コンタクト５０４および第二のソケット側コンタクト５０５を増幅回路から切り離すようになっているものとする。
【００４１】
いま、図１６に示すように、このアンプ側ソケット５００にスピーカケーブルのアンプ側プラグ３００が差込まれると、ソケット５００の第一のソケット側コンタクト５０４とプラグの第一のプラグ側コンタクト３０８とが接触し、ソケット５００の第二のソケット側コンタクト５０５とプラグの第二のプラグ側コンタクト３１３とが接触する。同時に、アクチュエータ５２１がソケットの差込み部３０２によって押され、弾性舌片５２５を制御コンタクト５２２の舌片５２３から切り離す。切り離されると、制御回路は、リレーの舌片を閉じて、第一のソケット側コンタクト５０４および第二のソケット側コンタクト５０５を増幅回路に接続することができる。
【００４２】
上記のようなスイッチ付きアンプ側ソケットにおいては、制御コンタクトが常時開いていて、アンプ側プラグが差し込まれると、閉じるように形成してもよい。図１７はそのようなアンプ側ソケットの一例を示している。
【００４３】
図１７のコネクタも、２チャネルステレオアンプに対するもので、二つのアンプ側ソケット６００を有している。各アンプ側ソケット６００は、図１および図３〜図６に示したアンプ側ソケット１００と同様に、ソケット本体６０２、３個のガイド６０３、第一のソケット側コンタクト６０４および第二のソケット側コンタクト６０５を有している。
【００４４】
図１７の例でも押え環６１２の側壁の一部が切り離れ、水平方向に動くアクチュエータ６２１として構成されている。制御コンタクト６２４が押え環５１２の側壁と平行に配置され、かつソケット本体６０２に支持されている。制御コンタクト６２４は、平面形態が略Ｕ字状をなすもので、一部が切り離され、固定片６２４ｂとこれから離間する弾性片６２４ａとからなっている。
【００４５】
このアンプ側ソケット６００の場合も、一例としてアンプに取り付けたときに、第一のソケット側コンタクト５０４および第二のソケット側コンタクト５０５はリレーを介在して増幅回路に接続され、制御コンタクト６２２の片６２４ａ，６２４ｂはリレーの制御回路に接続されているものとする。リレーの制御回路は、制御コンタクト６２２が切り離されているため、リレー接点を開放し、第一のソケット側コンタクト６０４および第二のソケット側コンタクト６０５を増幅回路から切り離している。
【００４６】
ここで、図１７のソケット６００にスピーカケーブルのアンプ側プラグ３００が差込まれると、ソケット６００の第一のソケット側コンタクト６０４とプラグの第一のプラグ側コンタクト３０８とが接触し、ソケット６００の第二のソケット側コンタクト６０５とプラグの第二のプラグ側コンタクト３１３とが接触する。同時に、押え環６１２のアクチュエータ６２１がソケットの差込み部３０２によって押され、弾性片６２４ａと固定片６２４ｂとを接触させる。この接触によってリレーの制御回路は、リレー接点を閉じて、第一のソケット側コンタクト６０４および第二のソケット側コンタクト６０５を増幅回路に接続する。
【００４７】
以上に説明した本発明スピーカケーブル用コネクタの実施例は、スピーカケーブルをアンプとスピーカとに接続するためのスピーカケーブル用のコネクタとして説明したが、本発明スピーカケーブル用コネクタは絶縁性能が高く、大電流を流すことができ、プラグとソケットの差込みに方向性がないので、オーディオ機器以外の他の電気機器におけるケーブル用コネクタとしても利用することができる。
【産業上の利用可能性】
【００４８】
本発明は以上の通りであって、大電流の導通を確保するための接触態様と、外部からテストフィンガーの接触を確実に防止できるコンタクトの形態並びにその配置態様を採用したので、大出力のオーディオビデオシステム等におけるスピーカケーブル用のコネクタのみならず、一般電気機器の電源用ケーブルのコネクタにも展開できるので、産業上きわめて有用である。
【図面の簡単な説明】
【００４９】
【図１】本発明スピーカケーブル用コネクタの実施の一例において、アンプに設けられたアンプ側ソケットとスピーカケーブルのアンプ側プラグとを示す斜視図。
【図２】スピーカ側ソケットとスピーカケーブルのスピーカ側プラグの斜視図。
【図３】アンプ側ソケットの拡大斜視図。
【図４】図３のＡ−Ａ線に沿うアンプ側ソケットの断面図。
【図５】アンプ側ソケットにおけるガイドとコンタクトとの関係を示す斜視図。
【図６】図５のアンプ側ソケットにおけるコンタクトの斜視図。
【図７】アンプ側（スピーカ側）プラグの拡大斜視図。
【図８】図７のプラグを反対側から見た斜視図。
【図９】図７のプラグのＢ−Ｂ線に沿う断面図。
【図１０】アンプ側（又はスピーカ側）ソケットにアンプ側（又はスピーカ側）プラグを嵌合した接続状態を示す平断面図。
【図１１】図１０のＨ−Ｈ線に沿うソケット側コンタクトとプラグ側コンタクトとの関係を示す垂直断面図。
【図１２】スピーカ側ソケットの一例を示す斜視図。
【図１３】図１２のＣ−Ｃ線に沿うスピーカ側ソケットの断面図。
【図１４】本発明スピーカケーブル用コネクタにおけるアンプ側ソケットの他の実施例を示す斜視図。
【図１５】図１４のＤ−Ｄ線に沿うアンプ側ソケットの断面図。
【図１６】図１４に示すアンプ側ソケットとアンプ側プラグとの接続状態を示す平断面図。
【図１７】本発明スピーカケーブル用コネクタの別の実施例によるアンプ側ソケットとアンプ側プラグとの接続状態を示す平断面図。
【符号の説明】
【００５０】
１０      アンプ
２０      スピーカエンクロージャー
３０      スピーカケーブル
３１      プラス側ケーブル
３２      芯線
３３      マイナス側ケーブル
３４      芯線
１００      アンプ側ソケット
１０１      筐体
１０２      ソケット本体
１０３      ガイド
１０３ａ    小幅溝
１０４      第一のソケット側コンタクト
１０５      第二のソケット側コンタクト
１０６      プラグ挿入口
１０７      垂下舌片
１０８      横向き舌片
１０９      切り欠き
１０９ａ    テーパー面
１１０      角筒状体
１１０ａ    ストッパ
１１１      舌片
１１２      押え環
２００      スピーカ側ソケット
２０２      ソケット本体
２０３      ガイド
２０３ａ    小幅溝
２０４      第一のソケット側コンタクト
２０５      第二のソケット側コンタクト
２０６      プラグ挿入孔
２１０      角筒状体
３００      アンプ側プラグ
３０１      プラグ本体
３０２      差込み部（枝部）
３０３      スピーカケーブル挿入部（枝部）
３０４      芯線固定部
３０５      芯線固定部
３０６      開口
３０７      リブ
３０８      第一のプラグ側コンタクト
３０９      角筒状体
３０９ａ    スリット
３１０      舌片
３１１      ケーブル押え
３１２      押えねじ
３１３      第二のプラグ側コンタクト
３１４      外部角筒状体
３１４ａ    開口
３１５      舌片
３１６      ケーブル押え
３１７      押えねじ
４００      スピーカ側プラグ
５００      アンプ側ソケット
５０２      ソケット本体
５０３      ガイド
５０３ａ    小幅溝
５０４      第一のソケット側コンタクト
５０５      第二のソケット側コンタクト
５０６      ソケット挿入孔
５１２      押え環
５２１      アクチュエータ
５２２      制御コンタクト
５２３      舌片
５２４      制御コンタクト
６００      アンプ側ソケット
６０２      ソケット本体
６０３      ガイド
６０４      第一のソケット側コンタクト
６０５      第二のソケット側コンタクト
６１２      押え環
６２１      アクチュエータ
６２２      制御コンタクト
６２４      制御コンタクト
６２４ａ    弾性片
６２４ｂ    固定片
【図１】
2006228617.tif 000003
【図２】
2006228617.tif 000004
【図３】
2006228617.tif 000005
【図４】
2006228617.tif 000006
【図５】
2006228617.tif 000007
【図６】
2006228617.tif 000008
【図７】
2006228617.tif 000009
【図８】
2006228617.tif 000010
【図９】
2006228617.tif 000011
【図１０】
2006228617.tif 000012
【図１１】
2006228617.tif 000013
【図１２】
2006228617.tif 000014
【図１３】
2006228617.tif 000015
【図１４】
2006228617.tif 000016
【図１５】
2006228617.tif 000017
【図１６】
2006228617.tif 000018
【図１７】
2006228617.tif 000019